(57)【特許請求の範囲】
【請求項１】
支払に関するアクセスコンテンツを表示する方法であって、
支払者である第一ユーザのアクセス要求を受信するステップと、
前記第一ユーザの前記アクセス要求に従って、前記第一ユーザによって要求されたアクセスコンテンツを判定するステップと、
前記アクセスコンテンツに含まれており、被支払者である第二ユーザを識別する、少なくとも一つの第二ユーザ識別子を判定するステップと、
前記判定された第二ユーザ識別子に従って、前記第二ユーザに対応した提示識別子の数を判定するステップと、
前記第二ユーザに対応した提示識別子の数が一つであると判定された場合に、前記判定された前記一つの提示識別子を前記第一ユーザに返す提示識別子として判定するステップと、
前記第二ユーザに対応した提示識別子の数が複数であると判定された場合に、前記第一ユーザに返す前記アクセスコンテンツの言語を判定し、且つ、アクセスコンテンツに対応する複数の言語と前記複数の提示識別子との間の対応関係に基づいて、前記第一ユーザに返す前記アクセスコンテンツの前記言語に対応した提示識別子を前記第一ユーザに返す提示識別子として判定するステップと、
前記第一ユーザに前記アクセスコンテンツを返すステップであって、前記アクセスコンテンツは、前記第一ユーザに返す提示識別子を有する、ステップと、
を具備する方法。
【請求項２】
前記判定された第二ユーザ識別子に従って、前記第二ユーザに対応した提示識別子の数を判定する前記ステップは、
前記判定された第二ユーザ識別子に従って、対応したシステムアイデンティティコード識別子を判定するステップと、
前記判定されたシステムアイデンティティコード識別子に従って、前記第二ユーザに対応した前記提示識別子を判定するステップと、
を具備する、請求項１に記載の方法。
【請求項３】
前記アクセスコンテンツは、前記少なくとも一つの第二ユーザ識別子に対応し、前記第二ユーザの少なくとも略称または別名の一方を含む第二ユーザキー情報を更に具備し、且つ、
前記アクセスコンテンツに含まれている少なくとも一つの第二ユーザ識別子を判定する前記ステップの後に、且つ、前記第一ユーザに前記アクセスコンテンツを返す前記ステップの前に、前記方法は、
前記第二ユーザ識別子と第二ユーザキー情報との間の対応関係に従って、前記アクセスコンテンツに含まれている前記少なくとも一つの第二ユーザ識別子に対応した前記第二ユーザキー情報を判定するステップ、
を更に具備する、請求項１又は請求項２に記載の方法。
【請求項４】
前記方法は、支払システムに適用され、且つ、前記第二ユーザに対応した提示識別子は、前記第二ユーザのロゴを含む、請求項１に記載の方法。
【請求項５】
前記方法は、支払システムに適用され、前記システムアイデンティティコード識別子は、前記第二ユーザを識別するべく前記支払システムによって前記第二ユーザに割り当てられた情報である、請求項２に記載の方法。
【請求項６】
サーバであって、
支払者である第一ユーザのアクセス要求を受信するように構成された受信モジュールと、
前記第一ユーザの前記アクセス要求に従って、前記第一ユーザによって要求された支払に関するアクセスコンテンツを判定するように構成されたアクセス判定モジュールと、
前記アクセスコンテンツに含まれており、被支払者である第二ユーザを識別する、少なくとも一つの第二ユーザ識別子を判定するように構成されたユーザ識別子判定モジュールと、
前記判定された第二ユーザ識別子に従って、前記第二ユーザに対応した提示識別子の数を判定し、前記第二ユーザに対応した提示識別子の数が一つであると判定された場合に、前記判定された前記一つの提示識別子を前記第一ユーザに返す提示識別子として判定し、前記第二ユーザに対応した提示識別子の数が複数であると判定された場合に、前記第一ユーザに返す前記アクセスコンテンツの言語を判定し、且つ、アクセスコンテンツに対応する複数の言語と前記複数の提示識別子との間の対応関係に基づいて、前記第一ユーザに返す前記アクセスコンテンツの前記言語に対応した提示識別子を前記第一ユーザに返す提示識別子として判定するように構成された提示識別子判定モジュールと、
前記アクセスコンテンツを前記第一ユーザに返すように構成された送信モジュールであって、前記アクセスコンテンツは、前記第一ユーザに返す提示識別子を有する、送信モジュールと
を具備するサーバ。
【請求項７】
前記提示識別子判定モジュールは、
前記判定された第二ユーザ識別子に従って、対応したシステムアイデンティティコード識別子を判定し、且つ、前記判定されたシステムアイデンティティコード識別子に従って、前記第二ユーザに対応した前記提示識別子を判定する、
ように構成されている、請求項６に記載のサーバ。
【請求項８】
前記アクセスコンテンツは、前記少なくとも一つの第二ユーザ識別子に対応し、前記第二ユーザの少なくとも略称または別名の一方を含む第二ユーザキー情報を更に具備し、且つ、
前記サーバは、
第二ユーザ識別子と第二ユーザキー情報との間の対応関係に従って、前記アクセスコンテンツに含まれている前記少なくとも一つの第二ユーザ識別子に対応した前記第二ユーザキー情報を判定するように構成された情報判定モジュール、
を更に具備する、請求項６又は請求項７に記載のサーバ。
【請求項９】
前記第二ユーザに対応した提示識別子は、前記第二ユーザのロゴを含む、請求項６に記載のサーバ。
【発明の詳細な説明】
【技術分野】
【０００１】
本出願は、コンピュータの技術分野に関し、且つ、更に詳しくは、アクセスコンテンツを表示する方法及びサーバに関する。
【背景技術】
【０００２】
インターネットの急速な進展に伴って、インターネットは、人々の生活の不可欠な部分となっている。例えば、益々多くの人々が、インターネットを通じてニュースをチェックすることが可能であり、インターネットを通じてその他の人々と通信することが可能であり、或いは、インターネットを通じて買い物をすることさえ可能である。但し、既存の表示方式は、特に、タイトルを表示するということになると、多様性を欠いており、様々なページ上に表示されたタイトルは、ほぼ同一であり、或いは、表示されたタイトルは、アクセスしているユーザの認識とは非常に異なっており、その結果、不正確な情報が送信されている。ユーザには、しばしば、アクセスコンテンツ内の特定の情報を正確に理解することが困難であり、従って、これが理由となって、ユーザは、しばしば、アクセスを中断することになり、或いは、アクセスを反復することになる。この結果、従来技術は、不正確な情報送信という欠点を有しているのみならず、コンピュータシステム又はインターネットシステムのリソースの浪費をももたらす場合がある。
【発明の概要】
【０００３】
本出願の実施形態は、情報が不正確に送信されることから、ユーザがアクセスを中断する場合があり、或いは、アクセスを反復する場合があり、その結果、コンピュータシステム又はインターネットシステムのリソースが浪費されるという、従来技術に存在している問題点を解決するべく使用される、アクセスコンテンツを表示する方法及び装置を提供している。
【０００４】
一態様によれば、本出願の一実施形態によって提供されるアクセスコンテンツを表示する方法は、
第一ユーザのアクセス要求を受信するステップと、
第一ユーザのアクセス要求に従って、第一ユーザによって要求されたアクセスコンテンツを判定するステップと、
アクセスコンテンツに含まれている少なくとも一つの第二ユーザ識別子を判定するステップと、
判定された第二ユーザ識別子に従って、第二ユーザに対応した提示識別子を判定するステップと、
アクセスコンテンツを第一ユーザに返すステップであって、アクセスコンテンツは、少なくとも一つの第二ユーザ識別子に対応した提示識別子を含む、ステップと、
を含む。
【０００５】
本出願のこの実施形態においては、第一ユーザによって要求されたアクセスコンテンツが第一ユーザのアクセス要求に従って判定され、アクセスコンテンツに含まれている第二ユーザ識別子に対応した提示識別子が判定され、且つ、アクセスコンテンツが第一ユーザに返されており、その結果、ピアエンドが、受信された提示識別子を表示し、これにより、情報送信の正確性が改善され、不正確な情報送信に起因したユーザのアクセスの中断又はアクセスの反復の発生が低減され、且つ、コンピュータシステム又はインターネットシステムのリソースの浪費が低減されている。
【０００６】
好ましくは、判定された第二ユーザ識別子に従って、第二ユーザに対応した提示識別子を判定するステップは、
判定された第二ユーザ識別子に従って、対応したシステムアイデンティティコード識別子を判定するステップと、
判定されたシステムアイデンティティコード識別子に従って、第二ユーザに対応した提示識別子を判定するステップと、
を含む。
【０００７】
第二ユーザキー情報が、システムアイデンティティコード識別子に従って判定され得ることから、表示される情報が、相対的に正確である。
【０００８】
好ましくは、判定された第二ユーザ識別子に従って、第二ユーザに対応した提示識別子を判定するステップは、
判定された第二ユーザ識別子に従って、第二ユーザに対応した一つの提示識別子が判定された場合には、判定された提示識別子を第一ユーザに対応した提示識別子として使用するステップと、
判定された第二ユーザ識別子に従って、第二ユーザに対応した複数の提示識別子が判定された場合に、第一ユーザに返す必要があるアクセスコンテンツの言語を判定し、且つ、アクセスコンテンツの言語と第二ユーザの提示識別子との間の対応関係に従って、第一ユーザに返す必要があるアクセスコンテンツの言語に対応した提示識別子を判定するステップと、
を含む。
【０００９】
ユーザマルチメディア情報が、言語に従って判定され得ることから、異なる言語における表示がサポートされ、その結果、アプリケーションシナリオが増大する。
【００１０】
好ましくは、アクセスコンテンツは、少なくとも一つの第二ユーザ識別子に対応した第二ユーザキー情報を更に含んでおり、且つ、
アクセスコンテンツに含まれている少なくとも一つの第二ユーザ識別子を判定するステップの後に、且つ、アクセスコンテンツを第一ユーザに返すステップの前に、方法は、
第二ユーザ識別子と第二ユーザキー情報との間の対応関係に従って、アクセスコンテンツに含まれている少なくとも一つの第二ユーザ識別子に対応した第二ユーザキー情報を判定するステップ、
を更に含む。
【００１１】
第二ユーザキー情報が、アクセスコンテンツ内において表示され得ることから、表示される情報が相対的に広範である。
【００１２】
好ましくは、方法は、支払システムに適用され、且つ、第二ユーザは、商人である。
【００１３】
好ましくは、方法は、支払システムに適用され、システムアイデンティティコード識別子は、第二ユーザを識別するべく支払システムによって第二ユーザに割り当てられた情報である。
【００１４】
別の態様によれば、本出願の一実施形態において提供されるサーバは、
第一ユーザのアクセス要求を受信するように構成された受信モジュールと、
第一ユーザのアクセス要求に従って、第一ユーザによって要求されたアクセスコンテンツを判定するように構成されたアクセス判定モジュールと、
アクセスコンテンツに含まれている少なくとも一つの第二ユーザ識別子を判定するように構成されたユーザ識別子判定モジュールと、
判定された第二ユーザ識別子に従って、第二ユーザに対応した提示識別子を判定するように構成された提示識別子判定モジュールと、
アクセスコンテンツを第一ユーザに返すように構成された送信モジュールであって、アクセスコンテンツは、少なくとも一つの第二ユーザ識別子に対応した提示識別子を含む、送信モジュールと、
を含む。
【００１５】
好ましくは、提示識別子判定モジュールは、具体的には、
判定された第二ユーザ識別子に従って、対応したシステムアイデンティティコード識別子を判定し、且つ、判定されたシステムアイデンティティコード識別子に従って、第二ユーザに対応した提示識別子を判定する、
ように構成されている。
【００１６】
好ましくは、提示識別子判定モジュールは、具体的には、
判定された第二ユーザ識別子に従って、第二ユーザに対応した一つの提示識別子が判定された場合に、判定された提示識別子を第二ユーザに対応した提示識別子として使用し、且つ、
判定された第二ユーザ識別子に従って、第二ユーザに対応した複数の提示識別子が判定された場合に、第一ユーザに返す必要があるアクセスコンテンツの言語を判定し、且つ、アクセスコンテンツの言語と第二ユーザの提示識別子との間の対応関係に従って、第一ユーザに返す必要があるアクセスコンテンツの言語に対応した提示識別子を判定する、
ように構成されている。
【００１７】
好ましくは、アクセスコンテンツは、少なくとも一つの第二ユーザ識別子に対応した第二ユーザキー情報を更に含み、且つ、
サーバは、
第二ユーザ識別子と第二ユーザキー情報との間の対応関係に従って、アクセスコンテンツに含まれている少なくとも一つの第二ユーザ識別子に対応した第二ユーザキー情報を判定するように構成された情報判定モジュール、
を更に含む。
【図面の簡単な説明】
【００１８】
【図１】図１は、本出願の実施形態１によるアクセスコンテンツを表示する方法を示す。
【図２】図２は、本出願の実施形態２によるアクセスコンテンツを表示する方法を示す。
【図３】図３は、本出願の実施形態３によるサーバの概略構造図である。
【発明を実施するための形態】
【００１９】
本出願の実施形態においては、第一ユーザによって要求されたアクセスコンテンツが第一ユーザのアクセス要求に従って判定され、アクセスコンテンツに含まれている第二ユーザ識別子に対応した提示識別子が判定され、且つ、アクセスコンテンツが第一ユーザに返されており、その結果、ピアエンドが、受信された提示識別子を表示し、これにより、情報送信の正確性が改善され、不正確な情報送信に起因したユーザのアクセスの中断又はアクセスの反復の発生が低減され、且つ、コンピュータシステム又はインターネットシステムのリソースの浪費が低減されている。
【００２０】
以下、本明細書の添付図面を参照し、本出願の実施形態について更に詳細に説明する。
【００２１】
図１に示されているように、本出願の実施形態１によるアクセスコンテンツを表示する方法は、
第一ユーザのアクセス要求が受信されるステップ１０１と、
第一ユーザによって要求されたアクセスコンテンツが、第一ユーザのアクセス要求に従って判定されるステップ１０２と、
アクセスコンテンツに含まれている少なくとも一つの第二ユーザ識別子が判定されるステップ１０３と、
第二ユーザに対応した提示識別子が、判定された第二ユーザ識別子に従って判定されるステップ１０４と、
アクセスコンテンツが第一ユーザに返され、アクセスコンテンツは、少なくとも一つの第二ユーザ識別子に対応した提示識別子を含むステップ１０５と、
を含む。
【００２２】
第一ユーザのアクセス要求は、第一ユーザがウェブページを開いた際にトリガされるアクセス要求である。ウェブページは、例えば、第一ユーザの支払ページのログイン要求、第一ユーザの取引情報ページの閲覧要求、又はこれらに類似したものなどの、任意のウェブページであってもよい。
【００２３】
実装において、アクセス要求は、例えば、第一ユーザが、コンピュータ、携帯電話機ソフトウェア、又はこれらに類似したもののブラウザを通じて、ウェブページを開く場合などのように、第一ユーザがウェブページを開く必要がある場合に、サーバに送信されてもよい。
【００２４】
ステップ１０２においては、第一ユーザのアクセス要求に従って、第一ユーザによって要求されたアクセスコンテンツが判定されている。異なるアクセス要求は、アクセスが要求されている異なるアクセスコンテンツに対応している。例えば、第一ユーザが請求書ページを開く必要がある場合には、アクセスコンテンツは、一般に、取引物品、取引時刻、及び取引金額などのコンテンツを含んでいる。
【００２５】
ステップ１０３において、アクセスコンテンツに含まれている少なくとも一つの第二ユーザ識別子が判定される際に、異なるウェブページコンテンツは、異なる数の第二ユーザを含んでいてもよい。例えば、第一ユーザが一つの取引に関する情報について問い合わせる必要がある場合に、ウェブページコンテンツは、一人の第二ユーザのみを含んでおり、第一ユーザが開く必要があるページが月々の請求書である場合には、ウェブページコンテンツは、問い合わされた月内のすべての取引に関係した第二ユーザを含んでいる。
【００２６】
異なるウェブページコンテンツにおいて、第二ユーザは、異なる意味を有している。例えば、取引ページを開く必要がある場合に、第二ユーザは、特定の商人又は特定の取引関係者（一般に、個人を意味している）であり、連絡先ページを開く必要がある場合には、第二ユーザは、特定の連絡窓口である。
【００２７】
又、本出願のこの実施形態が、異なるシステムに適用された際には、第二ユーザは、異なる意味を有している。例えば、本出願のこの実施形態が支払システムに適用された際には、第二ユーザは、商人である。
【００２８】
第一ユーザが開く必要があるページが月々の請求書である例を使用すれば、月々の請求書が二つの取引を含み、例えば、一つの取引が商人Ａに対応し、且つ、その他の取引が商人Ｂに対応している、と判定される。商人Ａに対応した第二ユーザ識別子Ａ及び商人Ｂに対応した第二ユーザ識別子Ｂが判定され、且つ、第二ユーザ識別子Ａに対応した提示識別子Ａ及び第二ユーザ識別子Ｂに対応した提示識別子Ｂが、第二ユーザ識別子と提示識別子との間の対応関係に従って判定される。
【００２９】
実装において、本出願のこの実施形態がサーバによって実行される場合には、第二ユーザ識別子と提示識別子との間の対応関係は、サーバ内において保存されていてもよく、且つ、又、サーバによる問合せにおいて使用されるべく、別のエンティティ内において保存されていてもよい。
【００３０】
本出願のこの実施形態における提示識別子は、商人ＬＯＧＯなどの静止画であってもよい。画像フォーマットは、ｊｐｇフォーマット、ｊｐｅｇフォーマット、ｐｎｇフォーマット、ｂｍｐフォーマット、又はこれらに類似したものであってもよい。
【００３１】
提示識別子は、例えば、ｇｉｆフォーマット又はこれに類似したものにおける画像などの、動的な画像であってもよい。
【００３２】
提示識別子は、例えば、ｒｍｖｂフォーマット、ａｖｉフォーマット、ｔｓフォーマット又はこれに類似したものにおけるビデオなどの、ビデオであってもよい。
【００３３】
本出願のこの実施形態における第二ユーザ識別子は、第二ユーザを一意に識別し得る任意の情報であってもよい。異なるウェブページコンテンツは、異なる第二ユーザ識別子に対応していてもよい。例えば、取引ページを開く必要がある場合には、第二ユーザは、特定の商人であり、且つ、対応した第二ユーザ識別子は、商人タイトルである。
【００３４】
ステップ１０４においては、判定された商人タイトルに従って、商人に対応したアイデンティティコード識別子を見出すことが可能であり、且つ、アイデンティティコード識別子に従って、商人に対応した提示識別子を判定することができる。
【００３５】
アイデンティティコード識別子（Ｍｉｄ：MERCHANT_ID）は、システムによって第二ユーザに割り当てられたシステムアイデンティティコード識別子であり、一つの第二ユーザは、一つのＭＩＤのみを有する。
【００３６】
本出願のこの実施形態における方法が、支払システムに適用された場合には、システムアイデンティティコード識別子は、第二ユーザを識別するべく支払システムによって第二ユーザに割り当てられた情報である。
【００３７】
商人に対応した提示識別子を判定する際に、商人は、一つの提示識別子のみを有することが可能である。商人の消費者は、異なる国から到来する場合があることから、アクセスコンテンツの異なる言語が必要とされる場合がある。例えば、アメリカの消費者は、アクセスコンテンツの言語が英語であることを必要としており、日本の消費者は、アクセスコンテンツの言語が日本語であることを必要としており、且つ、中国の消費者は、アクセスコンテンツの言語が中国語であることを必要としている。例えば、中国の消費者を対象としている場合には、商人Ａの提示識別子は、中国の消費者にとって容易に認識可能な情報であり、且つ、日本の消費者を対象としている場合には、商人Ａの提示識別子は、日本の消費者にとって容易に認識可能な情報である。従って、商人に対応した提示識別子を判定する際には、アクセスコンテンツの異なる言語ごとに、商人は、個々の提示識別子に対応することが可能である。
【００３８】
以上の内容に基づいて、実装において、商人に対応した提示識別子を判定する際に一つの提示識別子が判定された場合には、その提示識別子が、第二ユーザに対応した提示識別子として使用されてもよい。
【００３９】
商人に対応した提示識別子を判定する際に複数の提示識別子が判定された場合には、第一ユーザに返す必要があるアクセスコンテンツの言語を判定し、且つ、アクセスコンテンツの言語と商人の提示識別子との間の対応関係に従って、判定された複数の提示識別子から第二ユーザに対応した提示識別子を選択することが更に必要とされる。
【００４０】
例えば、商人Ａの複数の提示識別子が、日本語に対応した提示識別子ａａと、中国語に対応した提示識別子ｂｂと、であると判定され、且つ、このケースにおいて、第一ユーザに返す必要があるアクセスコンテンツの言語が判定された場合に、言語が中国語であると仮定すれば、ｂｂが、第二ユーザに対応した提示識別子として選択される。
【００４１】
例えば、商人が、日本語及び中国語に対応した提示識別子のみを設定しており、英語に対応した提示識別子を設定していない状況において、第一ユーザに返す必要があるアクセスコンテンツの言語に対応した提示識別子をアクセスコンテンツの言語と商人の提示識別子との間の対応関係に従って判定することができない場合には、商人によって設定された既定の提示識別子が、第二ユーザに対応した提示識別子として使用されてもよい。例えば、商人は、アクセスコンテンツの言語と提示識別子との間の対応関係にある提示識別子を既定の提示識別子として規定してもよく、或いは、アクセスコンテンツの言語と提示識別子との間の対応関係にはない提示識別子を既定の提示識別子として設定してもよい。商人が、既定の提示識別子を設定していない場合には、提示識別子は、既定の提示識別子として、アクセスコンテンツの言語と提示識別子との間における規定された対応関係から、ランダムに選択されてもよい。
【００４２】
表示の多様性を更に改善するべく、好ましくは、提示識別子に加えて、第二ユーザキー情報が更に判定されてもよい。第二ユーザキー情報は、第二ユーザを識別するべく使用される。例えば、商人の場合には、第二ユーザキー情報は、商人の略称又は商人の別名であってもよい。
【００４３】
具体的には、ステップ１０３の後において、且つ、ステップ１０５の前に、方法は、
第二ユーザ識別子と第二ユーザキー情報との間の対応関係に従って、アクセスコンテンツに含まれている少なくとも一つの第二ユーザ識別子に対応した第二ユーザキー情報を判定するステップ、
を更に含む。
【００４４】
ステップ１０５において、第一ユーザに返されるアクセスコンテンツは、第二ユーザキー情報を更に含んでいる。
【００４５】
アクセスコンテンツが、提示識別子と第二ユーザキー情報との両方を含んでいる際には、アクセスコンテンツは、組み立て方式により、表示されてもよい。
【００４６】
多くの組み立て表示方式が存在していてもよく、例えば、第二ユーザキー情報と提示識別子とは、垂直方向において配列されてもよく、或いは、水平方向において配列されてもよい。又、一つの情報片が隠蔽されており、且つ、第一ユーザの接触位置が、一つの情報片の上部であることが検出された際に、その他の情報片が表示されることも可能である。例えば、提示識別子が隠蔽されており、且つ、第一ユーザが、第二ユーザの表示された第二ユーザキー情報に接触した際に、第二ユーザの提示識別子が表示されてもよい。
【００４７】
本出願のこの実施形態における第二ユーザの提示識別子は、第二ユーザにより、ネットワーク側にアップロードされ、且つ、ネットワーク側において第二ユーザのために確立される。
【００４８】
実装において、すべての第二ユーザが、複数の提示識別子を設定する必要があるわけではない。従って、実装においては、複数の言語をサポートする選択肢が設定されてもよく、且つ、第二ユーザが、複数言語のサポートを選択した場合に、第二ユーザによってアップロードされた提示識別子が、第二ユーザによって選択されたアクセスコンテンツの言語と結び付けられる。
【００４９】
第二ユーザが、複数言語のサポートを選択しない場合には、第二ユーザによってアップロードされた提示識別子は、第二ユーザのシステムアイデンティティコード識別子と結び付けられる。
【００５０】
詳しくは、実装において、マルチ言語選択肢が設定されてもよい。
【００５１】
第二ユーザがこの選択肢をチェックした場合には、第二ユーザがマルチ言語選択肢を使用する必要があるものと判定される。
【００５２】
提示識別子について、提示識別子に対応したアップロード選択肢が設定される。
【００５３】
言語については、第二ユーザは、言語を入力してもよく、且つ／又は、第二ユーザが言語を選択するべく、ドロップダウンメニューが設定されてもよい。
【００５４】
実装において、第二ユーザが使用する必要がある言語を判定することができない場合には、言語追加選択肢が設定されてもよい。第二ユーザが言語の追加を選択した場合には、言語入力ブロックのグループ及び／又は言語選択の選択肢が追加され、且つ、対応した提示識別子のアップロード選択肢が追加される。
【００５５】
例えば、第二ユーザが複数言語のサポートをチェックし、第二ユーザが、言語として中国語を入力し、且つ、提示識別子が画像Ａである場合には、中国語と画像Ａとの間の対応関係が確立される。
【００５６】
第二ユーザが、言語として英語を追加し、且つ、提示識別子が画像Ｂである場合には、英語と画像Ｂとの間の対応関係が確立される。
【００５７】
第二ユーザキー情報については、第二ユーザが第二ユーザキー情報を入力した場合に、第二ユーザキー情報は、第二ユーザ識別子と結び付けられる。第二ユーザキー情報の言語は、任意の言語であってもよい。
【００５８】
提示識別子が静止画像又は動的画像である場合には、クライアント端末のストレージ空間及び表示速度を保証するべく、第二ユーザ識別子と提示識別子との間の対応関係が確立される際に、第二ユーザによってアップロードされた画像は、１Ｍを超過していないことが必要とされる場合がある。
【００５９】
提示識別子がビデオである場合には、クライアント端末のストレージ空間及び表示速度を保証するべく、第二ユーザ識別子と提示識別子との間の対応関係が確立される際に、第二ユーザによってアップロードされた画像は、２Ｍを超過していないことが必要とされる場合がある。
【００６０】
表示効果を保証するべく、第二ユーザキー情報は、１２文字よりも長くはない。
【００６１】
好ましくは、第二ユーザが、第二ユーザによってアップロードされた提示識別子及び第二ユーザキー情報について問い合わせる必要がある際には、バッチ問合せ機能を提供するべく、問合せインタフェースが使用されてもよい。
【００６２】
本出願のこの実施形態においては、第二ユーザが提示識別子及び第二ユーザキー情報をアップロードする際に、これは、サービス使用端末によって実装されてもよい。サービス使用端末は、クライアント端末であってもよく、或いは、上述の対応関係を確立するべくサーバにログオンし得るその他のソフトウェア又はハードウェアを使用することにより、実装されてもよい。
【００６３】
以下、本出願の解決策がＡｌｉｐａｙ（商標）に適用される例を使用することにより、詳細な説明を提供する。
【００６４】
図２に示されているように、本出願の実施形態２によるアクセスコンテンツを表示する方法は、
消費者Ｍが、ブラウザを通じてチェックアウトカウンタにアクセスし、最近１０日間の取引記録を閲覧し、且つ、日数を選択すると共に問い合わせるべくクリックした後にアクセス要求をサーバに送信するステップ２０１と、
サーバが、消費者Ｍのアクセス要求を受信し、且つ、アクセス要求に従って、消費者Ｍがアクセスを要求しているアクセスコンテンツが、最近１０日間における取引記録であると判定するステップ２０２と、
サーバが、最近１０日間の消費者Ｍの取引記録について問い合わせ、且つ、一つの取引に関与した商人が商人Ａであると見出すステップ２０３と、
サーバが、商人Ａの商人タイトルを判定し、且つ、判定された商人タイトルに従って商人Ａの提示識別子を判定するステップ２０４と、
サーバが、商人Ａの判定された提示識別子の数が一つであるかどうかを判断し、且つ、一つである場合には、サーバが、ステップ２０８を実行し、さもなければ、サーバがステップ２０６を実行するステップ２０５と、
サーバが、消費者Ｍに返す必要があるアクセスコンテンツの言語が中国語であると判定するステップ２０６と、
サーバが、アクセスコンテンツの言語と商人Ａの提示識別子との間の対応関係（中国語とＬＯＧＯ１、並びに、英語とＬＯＧＯ２を含む）に従って、中国語がＬＯＧＯ１に対応していると判定し、且つ、ステップ２０９を実行するステップ２０７と、
サーバが、判定された提示識別子ＬＯＧＯ１を商人Ａの提示識別子として使用するステップ２０８と、
サーバが、商人タイトルと第二ユーザキー情報との間の対応関係に従って、商人Ａに対応した第二ユーザキー情報がＺＺＺであると判定するステップ２０９と、
サーバが、商人Ａの提示識別子ＬＯＧＯ１及び第二ユーザキー情報ＺＺＺに従って、最近１０日間における消費者Ｍの取引記録のアクセスコンテンツを生成するステップ２１０と、
サーバが、ＬＯＧＯ１及びＺＺＺを含むアクセスコンテンツをブラウザに返すステップ２１１と、
ブラウザが、返されたＬＯＧＯ１及びＺＺＺを含むアクセスコンテンツを表示するステップ２１２と、
を含む。
【００６５】
同一の発明概念に基づいて、本出願の一実施形態は、サーバを更に提供している。このサーバの原理を解決する問題は、本出願の実施形態に従ってアクセスコンテンツを表示する方法に類似していることから、サーバの実装のために、方法の実装が参照されてもよく、且つ、以下においては、重複する説明は、省略するものとする。
【００６６】
図３に示されているように、本出願の実施形態３によるサーバは、受信モジュール３００と、アクセス判定モジュール３１０と、ユーザ識別子判定モジュール３２０と、提示識別子判定モジュール３３０と、送信モジュール３４０と、を含む。
【００６７】
受信モジュール３００は、第一ユーザのアクセス要求を受信するように構成されている。
【００６８】
アクセス判定モジュール３１０は、第一ユーザのアクセス要求に従って、第一ユーザによって要求されたアクセスコンテンツを判定するように構成されている。
【００６９】
ユーザ識別子判定モジュール３２０は、アクセスコンテンツに含まれている少なくとも一つの第二ユーザ識別子を判定するように構成されている。
【００７０】
提示識別子判定モジュール３３０は、判定された第二ユーザ識別子に従って、第二ユーザに対応した提示識別子を判定するように構成されている。
【００７１】
送信モジュール３４０は、アクセスコンテンツを第一ユーザに返すように構成されており、この場合に、アクセスコンテンツは、少なくとも一つの第二ユーザ識別子に対応した提示識別子を含んでいる。
【００７２】
実装において、異なるアクセス要求は、アクセスが要求されている異なるアクセスコンテンツに対応している。例えば、第一ユーザが請求書ページを開く必要がある場合には、アクセスコンテンツは、一般に、取引物品、取引時刻、及び取引金額などのコンテンツを含む。
【００７３】
ユーザ識別子判定モジュール３２０が、アクセスコンテンツに含まれている少なくとも一つの第二ユーザ識別子を判定する際には、異なるウェブページコンテンツが、異なる数の第二ユーザを含んでいる場合がある。例えば、第一ユーザが、一つの取引に関する情報について問い合わせる必要がある場合には、ウェブページコンテンツは、一人の第二ユーザのみを含んでいるが、第一ユーザが開く必要があるページが、月々の請求書である場合には、ウェブページコンテンツは、問い合わされた月内のすべての取引に関係した第二ユーザを含んでいる。
【００７４】
異なるウェブページコンテンツにおいて、第二ユーザは、異なる意味を有している。例えば、取引ページを開く必要がある場合には、第二ユーザは、特定の商人又は特定の取引関係者（一般には、個人を意味している）であり、連絡先ページを開く必要がある場合には、第二ユーザは、特定の連絡窓口である。
【００７５】
又、本出願のこの実施形態が、異なるシステムに適用された際には、第二ユーザは、異なる意味を有している。例えば、本出願のこの実施形態が、支払システムに適用された際には、第二ユーザは、商人である。
【００７６】
第一ユーザが開く必要があるページが、月々の請求書である例を使用すれば、月々の請求書は、二つの取引を含み、例えば、一つの取引が商人Ａに対応し、且つ、その他の取引が商人Ｂに対応している、と判定される。商人Ａに対応した第二ユーザ識別子Ａと、商人Ｂに対応した第二ユーザ識別子Ｂと、が判定され、且つ、第二ユーザ識別子Ａに対応した提示識別子Ａ及び第二ユーザ識別子Ｂに対応した提示識別子Ｂが、第二ユーザ識別子と提示識別子との間の対応関係に従って判定される。
【００７７】
実装において、第二ユーザ識別子と提示識別子との間の対応関係は、サーバ内において保存されてもよく、且つ、更には、サーバによる問合せにおいて使用されるべく、別のエンティティ内に保存されてもよい。
【００７８】
本出願のこの実施形態における提示識別子は、商人ＬＯＧＯなどの、静止画像であってもよい。画像フォーマットは、ｊｐｇフォーマット、ｊｐｅｇフォーマット、ｐｎｇフォーマット、ｂｍｐフォーマット、又はこれらに類似したものであってもよい。
【００７９】
提示識別子は、例えば、ｇｉｆフォーマット又はこれに類似したものにおける画像などの、動的画像であってもよい。
【００８０】
提示識別子は、例えば、ｒｍｖｂフォーマット、ａｖｉフォーマット、ｔｓフォーマット、又はこれらに類似したものにおけるビデオなどの、ビデオであってもよい。
【００８１】
本出願のこの実施形態における第二ユーザ識別子は、第二ユーザを一意に識別し得る任意の情報であってもよい。異なるウェブページコンテンツは、異なる第二ユーザ識別子に対応していてもよい。例えば、取引ページを開く必要がある場合には、第二ユーザは、特定の商人であり、且つ、対応した第二ユーザ識別子は、商人タイトルである。
【００８２】
好ましくは、提示識別子判定モジュール３３０は、具体的には、
判定された第二ユーザ識別子に従って、対応したシステムアイデンティティコード識別子を判定し、且つ、判定されたシステムアイデンティティコード識別子に従って、第二ユーザに対応した提示識別子を判定する、
ように構成されている。
【００８３】
アイデンティティコード識別子（Ｍｉｄ：MERCHANT_ID）は、システムによって第二ユーザに割り当てられたシステムアイデンティティコード識別子であり、一つの第二ユーザは、一つのＭＩＤのみを有する。
【００８４】
本出願のこの実施形態における方法が、支払システムに適用された場合には、システムアイデンティティコード識別子は、第二ユーザを識別するべく支払システムによって第二ユーザに割り当てられた情報である。
【００８５】
商人に対応した提示識別子を判定する際に、商人は、一つの提示識別子のみを有することが可能である。商人の消費者は、異なる国から到来し得ることから、アクセスコンテンツの異なる言語が必要とされる場合がある。例えば、アメリカの消費者は、アクセスコンテンツの言語が英語であることを必要としており、日本の消費者は、アクセスコンテンツの言語が日本語であることを必要としており、且つ、中国の消費者は、アクセスコンテンツの言語が中国語であることを必要としている。例えば、中国の消費者を対象としている場合には、商人Ａの提示識別子は、中国の消費者に容易に認識可能な情報であり、且つ、日本の消費者を対象としている場合には、商人Ａの提示識別子は、日本の消費者に容易に認識可能な情報である。従って、商人に対応した提示識別子を判定する際には、アクセスコンテンツの異なる言語ごとに、商人は、個々の提示識別子に対応することが可能である。
【００８６】
以上の内容に基づいて、好ましくは、提示識別子判定モジュール３３０は、具体的には、
判定された第二ユーザ識別子に従って、商人に対応した一つの提示識別子が判定された場合に、判定された提示識別子を第二ユーザに対応した提示識別子として使用し、且つ、
判定された第二ユーザ識別子に従って、第二ユーザに対応した複数の提示識別子が判定された場合には、第一ユーザに返す必要があるアクセスコンテンツの言語を判定し、且つ、アクセスコンテンツの言語と第二ユーザの提示識別子との間の対応関係に従って、第一ユーザに返す必要があるアクセスコンテンツの言語に対応した提示識別子を判定する、
ように構成されている。
【００８７】
例えば、商人Ａの複数の提示識別子が、日本語に対応した提示識別子ａａと、中国語に対応した提示識別子ｂｂと、であり、且つ、第一ユーザに返す必要があるアクセスコンテンツの言語が判定された場合に、言語が中国語であると仮定すれば、ｂｂが、第二ユーザに対応した提示識別子として選択される。
【００８８】
例えば、商人が、日本語及び中国語に対応した提示識別子のみを設定しており、英語に対応した提示識別子を設定していない状況において、第一ユーザに返す必要があるアクセスコンテンツの言語に対応した提示識別子をアクセスコンテンツの言語と商人の提示識別子との間の対応関係に従って判定することができない場合には、商人によって設定された既定の提示識別子が、第二ユーザに対応した提示識別子として使用されてもよい。例えば、商人は、アクセスコンテンツの言語と提示識別子との間の対応関係にある提示識別子を既定の提示識別子として規定してもよく、或いは、アクセスコンテンツの言語と提示識別子との間の対応関係にはない提示識別子を既定の提示識別子として設定してもよい。商人が、既定の提示識別子を設定していない場合には、提示識別子は、既定の提示識別子として、アクセスコンテンツの言語と提示識別子との間の規定された対応関係から、ランダムに選択されてもよい。
【００８９】
表示の多様性を更に改善するべく、好ましくは、提示識別子に加えて、第二ユーザキー情報が更に判定されてもよい。第二ユーザキー情報は、第二ユーザを識別するべく使用される。例えば、商人の場合には、第二ユーザキー情報は、商人の略称又は商人の別名であってもよい。
【００９０】
好ましくは、アクセスコンテンツは、少なくとも一つの第二ユーザ識別子に対応した第二ユーザキー情報を更に含んでおり、
サーバは、
第二ユーザ識別子と第二ユーザキー情報との間の対応関係に従って、アクセスコンテンツに含まれている少なくとも一つの第二ユーザ識別子に対応した第二ユーザキー情報を判定するように構成された情報判定モジュール３５０、
を更に含む。
【００９１】
アクセスコンテンツが、提示識別子と第二ユーザキー情報との両方を含んでいる際には、アクセスコンテンツは、組み立て方式により、表示されてもよい。
【００９２】
多くの組み立て表示方式が存在していてもよく、例えば、第二ユーザキー情報及び提示識別子は、垂直方向において配列されてもよく、或いは、水平方向において配列されてもよい。又、一つの情報片が隠蔽されており、且つ、第一ユーザの接触位置が、一つの情報片の上部であることが検出された際に、その他の情報片が表示されることも可能である。例えば、提示識別子が隠蔽されており、且つ、第一ユーザが、第二ユーザの表示された第二ユーザキー情報に接触した際に、第二ユーザの提示識別子が表示されてもよい。
【００９３】
本出願の実施形態による方法、装置（システム）、及び／又はコンピュータプログラムプロダクトのブロックダイアグラム及び／又はフローチャートを参照し、本出願について説明した。ブロックダイアグラム及び／又はフローチャート内のブロック並びにブロックダイアグラム及び／又はフローチャート内のブロックの組合せを実装するべく、コンピュータプログラム命令が使用され得ることを理解されたい。これらのコンピュータプログラム命令は、コンピュータプロセッサ及び／又はその他のプログラム可能なデータ処理装置によって実行された命令が、ブロックダイアグラム及び／又はフローチャートのブロック内の規定された機能／動作を実装する方法を生成するように、汎用コンピュータ又は特殊目的コンピュータ、並びに／或いは、その他のプログラム可能なデータ処理装置のプロセッサが、機械を生成するべく、提供されてもよい。
【００９４】
又、従って、本出願は、ハードウェア及び／又はソフトウェア（ファームウェア、レジデントソフトウェア、マイクロコード、及びこれらに類似したものを含む）を使用することにより、実装されてもよい。更には、本出願は、コンピュータ使用可能又はコンピュータ可読ストレージ媒体上のコンピュータプログラムプロダクトの形態を利用してもよく、これには、命令実行システムによって使用される又は命令実行システムとの組合せにおいて使用される、媒体内において実装されたコンピュータ使用可能又はコンピュータ可読プログラムコードが含まれる。本出願の文脈において、コンピュータ使用可能又はコンピュータ可読媒体は、プログラムを包含、保存、通信、送信、又は供給し得ると共に、命令実行システム、機器、又は装置によって使用され得る、或いは、命令実行システム、機器、又は装置との組合せにおいて使用され得る、任意の媒体であってもよい。
【００９５】
当業者は、本出願の精神及び範囲を逸脱することなしに、本出願に対して様々な変更及び変形を実施し得ることが明らかである。従って、本出願のこれらの変更及び変形が、本出願の請求項の範囲及びその等価な技術に属している場合には、本出願は、これらの変更及び変形をも含むものと解釈されたい。
【図１】
0006438151.tif 000002
【図２】
0006438151.tif 000003
【図３】
0006438151.tif 000004